(57)【特許請求の範囲】
【請求項１】
風呂追焚き用の追焚き回路を備え、この追焚き回路は、追焚き用の熱交換器に並列してバイパス路が接続されており、また、追焚き回路の途中には、強制循環用の循環ポンプ、熱交換器側への入水の有無を検出する水流スイッチ、熱交換器側への入水量調整用の缶体弁が設けられるとともに、前記バイパス路に入水量調整用のバイパス弁が設けられているものにおいて、風呂追焚き時に缶体弁とバイパス弁の一方の弁が、もしくは両方の弁が予め設定した風呂追焚き用開度に設定されると共に循環ポンプが起動され、この風呂追焚き時において前記水流スイッチがオンしないときには、熱交換器側への入水量を増大させる前記弁の開度制御手段を備え、この弁の開度制御手段により複数回熱交換器側への入水量を増大させる制御を実行させ、この制御を複数回実行してもなお前記水流スイッチがオンしない場合には追焚き制御を全て停止する安全動作に移行することを特徴とする追焚き装置。
【発明の詳細な説明】
【０００１】
【発明の属する技術分野】
本発明は、風呂追焚き用の追焚き回路を備えた追焚き装置に関する。
【０００２】
【従来の技術】
従来のこの種の追焚き装置として、たとえば、図３に示す構成のものがある。この追焚き装置は給湯器付き追焚き装置１で示し、コントローラ２を備え、その追焚き回路が浴槽３に接続される。
浴槽３には、その長手方向の前後の側壁にそれぞれ気泡混じりの湯水を浴槽３内に噴出する背側および足側の各ジェットノズル１０ａ，１０ｂが左右一対配置されるとともに、これらのジェットノズル１０ａ，１０ｂとは別個の側面に湯水の吸込口１２が設けられている。
【０００３】
そして、浴槽３の各ジェットノズル１０ａ，１０ｂおよび吸込口１２には、後述する追焚き回路３２から延長された吐出配管１４と吸込配管１６の各一端が接続され、さらに、各ジェットノズル１０ａ，１０ｂにはエア吸込配管１８が接続されている。
【０００４】
なお、２０は背側および足側の各ジェットノズル１０ａ，１０ｂに水流を切り換えるための三方弁、２２はエアー吸込管２２の途中に設けられた逆止弁、２４はエアーの供給および停止を行うためのエアー電磁弁、２６は排水電磁弁である。  一方、給湯器付き追焚き装置１は、給湯回路３０、追焚き回路３２、および落込回路３４を有する。
【０００５】
給湯回路３０は、上水道からの入水を沸かして浴槽３および図外のカランやシャワーなどに給湯するためのものである。
【０００６】
一方、この追焚き回路３２は、追焚き用の熱交換器３６を備え、この熱交換器３６に並列してバイパス路３８が接続されており、また、追焚き回路３２の途中には、浴槽３の水位を検出する水位センサ４２、強制循環用の循環ポンプ４４、熱交換器１側への入水の有無を検出する水流スイッチ４６、熱交換器３６側へ入水する温度を検出する温度センサ４８、および熱交換器３６側への入水量調整用の缶体弁５０が設けられ、さらに、バイパス路３８の途中には入水量調整用のバイパス弁４０が設けられている。
【０００７】
また、風呂落込回路３４は、上記の給湯回路３０と追焚回路３２との間を連結して湯水を浴槽３に落とし込むためのもので、電磁開閉式の落込弁５２、落とし込み水量を検出する水量センサ５４、および逆止弁５６が順次設けられている。
【０００８】
コントローラ２は、たとえばマイクロコンピュータで構成されるシーケンス制御部２ａ、台所などに設置される台所リモコン装置２ｂ、および浴室内に設置される浴室リモコン装置２ｃを備える。
【０００９】
シーケンス制御部２ａは、上記の各リモコン装置２ｂ，２ｃからの入力データ、および給湯器付き追焚き装置１に設けられた各種のセンサ４２，４８，…等からの検出信号に基づいて、各弁４０，５０，…等や循環ポンプ４４などの各可動部の動作を制御するとともに、給湯回路３０および追焚き回路３２の熱交換器に対する図示しないバーナの燃焼制御を行うものである。
【００１０】
また、両リモコン装置２ｂ，２ｃは、シーケンス制御部２ａに対して各種の指令を入力するためのもので、たとえば、浴室リモコン装置２ｃについてみると、その操作パネル上には、ジェット運転の開始スイッチ、ジェットノズル切換スイッチ、追焚き用の追焚きスイッチ（いずれも図示省略）等が設けられている。
【００１１】
次に、上記構成を有する従来の追焚き装置、ここでは、風呂追焚き運転の中の、特に、ジェットノズル１０ａ，１０ｂから気泡混じりの湯水を噴出することなく単に追い焚きする場合（以下、『あつく運転』と称する）の動作と、ジェットノズル１０ａ，１０ｂから気泡混じりの湯水を噴出するジェット運転を行いつつ、同時に追い焚きを行う場合（以下、『あつくジェット運転』と称する）の動作とについて、それぞれ説明する。
【００１２】
（１）『あつく運転』時
たとえば、浴室リモコン装置２ｃに設けられている『あつく運転』の開始スイッチ（図示せず）を操作して、このモードを設定すると、これに応じて、シーケンス制御部２ａは、エアー電磁弁２４を閉じるとともに、循環ポンプ４４を起動し、さらに、予め設定した風呂追焚き開度として、缶体弁５０が中間開度に、バイパス弁４０が全閉状態になるようにする。
【００１３】
このようにバイパス弁４０を全閉にするのは、熱交換器３６側にのみ湯水を流すことで、十分に追い焚きされた湯水が浴槽３に吐出されるようにして、追い焚き感が得られるようにするためである。
【００１４】
引き続いて、シーケンス制御部２ａは、水流スイッチ４６がオンしていて熱交換器３６側への入水を確認した後、温度センサ４８の検出出力に基づいて、浴槽３内の湯温が所期の温度に達するまで、あるいは『あつく運転』の停止操作（開始スイッチの再操作）が行われるまで、バーナの燃焼制御により熱交換器３６を加熱して追い焚きを実行する。
これにより、ジェットノズル１０ａ，１０ｂからは、追い焚きされた湯が吐出される。
【００１５】
（２）『あつくジェット運転』時
たとえば、浴室リモコン装置２ｃに設けられている『あつくジェット運転』の開始スイッチ（図示せず）を操作して、このモードを設定すると、これに応じて、シーケンス制御部２ａは、エアー電磁弁２４を開くとともに、循環ポンプ４４を起動し、さらに、予め設定した風呂追焚き開度として、缶体弁５０を全開状態に、バイパス弁４０が中間開度になるようにする。
【００１６】
このように、バイパス弁４０を中間開度に設定するのは、バイパス路３８に湯水をある程度流す方が、熱交換器３６側にのみ湯水を流す場合よりも水流抵抗が少なく、このため、追い焚き感はある程度犠牲になるものの、ジェットノズル１０ａ，１０ｂから気泡混じりの湯水が十分に噴出される状態を維持できるからである。
【００１７】
引き続いて、シーケンス制御部２ａは、水流スイッチ４６がオンしていて熱交換器３６側への入水を確認した後、温度センサ４８の検出出力に基づいて、浴槽２内の湯温が所期の温度に達するまで、あるいは『あつくジェット運転』の停止操作（開始スイッチの再操作）が行われるまで、バーナの燃焼制御により熱交換器３６を加熱して追い焚きを実行する。
【００１８】
これにより、ジェットノズル１０ａ，１０ｂからは、気泡混じりでかつ追い焚きされた湯が噴出される。
【００１９】
【発明が解決しようとする課題】
吸込配管１６に連なる湯水の吸込口１２には、浴槽２内のゴミや垢等を除くためのフィルタ(図示せず)が設けられているが、ジェットノズル１０ａ，１０ｂ
から気泡混じりの湯水を噴出させるジェット運転時、あるいは上記の『あつく運転』や『あつくジェット運転』のような追い焚き時には、循環ポンプ４４によって浴槽２内の湯水が強制的に循環されるために、フィルタが目詰まりし易い。また、缶体弁５０やバイパス弁４０のバラツキにより、これらの弁を風呂追焚き用開度に制御する際に実際の開度が設定された開度とは異なることが発生する。
【００２０】
一方、水流スイッチ４６は、熱交換器３６側に流れる水量が少ないときにその内部で沸騰が起きるの防止するために設けられている。
【００２１】
ここで、上記のフィルタが幾分目詰まりしたときには、また缶体弁５０やバイパス弁４０のバラツキにより、熱交換器３６側への入水量が少なくなって、水流スイッチ４６がオンしなくなる場合がある。そして、従来技術では、上記の『あつく運転』や『あつくジェット運転』のような追い焚き実行の際に水流スイッチ４６がオンしないときには、直ちに熱交換器３６の加熱を停止していた。
【００２２】
しかし、上記のフィルタが幾分目詰まりしたときや缶体弁５０やバイパス弁４０のバラツキが発生したときでも、缶体弁５０やバイパス弁４０の開度を調整すれば、熱交換器３６内で沸騰を起こさずに十分に追い焚き可能な水量を流せることがあり、水流スイッチ４６がオンしないからといって直ちに追い焚き実行を不能とするのは、装置のもつ追い焚き機能を過剰に制限することになって好ましくない。
【００２３】
本発明は、上記の問題点を解決するためになされたもので、安全性を確保しつつ、装置が保有する追い焚き機能をできる限り発揮できるようにすることを課題とする。
【００２４】
【課題を解決するための手段】
本発明は、上記の課題を解決するため、次の構成を採用している。
【００２５】
すなわち、請求項１記載の発明では、風呂追焚き用の追焚き回路を備え、この追焚き回路は、追焚き用の熱交換器に並列してバイパス路が接続されており、また、追焚き回路の途中には、強制循環用の循環ポンプ、熱交換器側への入水の有無を検出する水流スイッチ、熱交換器側への入水量調整用の缶体弁が設けられるとともに、前記バイパス路に入水量調整用のバイパス弁が設けられているものにおいて、風呂追焚き時に缶体弁とバイパス弁の一方の弁が、もしくは両方の弁が予め設定した風呂追焚き用開度に設定されると共に循環ポンプが起動され、この風呂追焚き時において前記水流スイッチがオンしないときには、熱交換器側への入水量を増大させる前記弁の開度制御手段を備え、この弁の開度制御手段により複数回熱交換器側への入水量を増大させる制御を実行させ、この制御を複数回実行してもなお前記水流スイッチがオンしない場合には追焚き制御を全て停止する安全動作に移行することを特徴としている。
【００２６】
この構成により、フイルタが幾分目詰まりしていてもまた缶体弁５０やバイパス弁４０のバラツキが発生して、水流スイッチがオンしなかったときでも、熱交換器側への水量が増加されるために、水流スイッチを確実にオンさせることができ、風呂追焚き運転を実行することができ、さらに熱交換器側への水量を増大させる制御を複数回実行してもなおかつ水流スイッチがオンしない場合には、追焚き制御を全て停止することで安全に使用できる。
【００２７】
【発明の実施の形態】
本発明の実施形態に係る給湯器付き追焚き装置１の基本的な構成は、図３に示した従来技術と同じであるが、コントローラ２のシーケンス制御部２ａの制御内容が従来の場合と異なっている。
【００２８】
そこで、この実施形態では、図３に示す構成の給湯器付き追焚き装置１における動作、特に、ここでは、『あつく運転』時の動作と、『あつくジェット運転』時の動作の特徴について、それぞれ図１および図２に示すフローチャートを参照して説明する。
【００２９】
なお、図１および図２に示す内容の制御を行うシーケンス制御部２ａが特許請求の範囲における開度制御手段に対応している。
【００３０】
（１）『あつく運転』時
図１のフローチャートに示すように、浴室リモコン装置２ｃに設けられている『あつく運転』の開始用のスイッチを操作して、このモードを設定すると（ステップ１）、これに応じて、シーケンス制御部２ａは、エアー電磁弁２４を閉じるとともに、循環ポンプ４４を起動し（ステップ２）、さらに、缶体弁５０が中間開度の位置になるように制御し（ステップ３９、缶体弁５０に設けられている中間位置検出用のリミットスイッチがオンしたならば（ステップ４）、中間開度に達したと判断して制御を停止する。
【００３１】
引き続いて、シーケンス制御部２ａは、バイパス弁４０が全閉状態の位置になるように制御し（ステップ５）、バイパス弁４０に設けられている全閉位置検出用のリミットスイッチがオンしたならば（ステップ６）、全閉状態に達したと判断して制御を停止する。
【００３２】
このように、バイパス弁４０を全閉にするのは、熱交換器３６側にのみ湯水を流すことで、十分に追い焚きされた湯水が浴槽３に吐出されるようにして、追い焚き感が得られるようにするためである。
【００３３】
続いて、シーケンス制御部２ａは、水流スイッチ４６がオンしているか否かを確認し（ステップ７）、水流スイッチ４６がオンしているならば、熱交換器３６側への入水量が十分に確保されていて沸騰が起こらないものと判断し、浴槽３内の湯温が所期の温度に達するまで、バーナの燃焼制御により熱交換器３６を加熱して追い焚きを実行する（ステップ８）。これにより、ジェットノズル１０ａ，１０ｂからは、追い焚きされた湯が吐出される。
【００３４】
次いで、『あつく運転』のスイッチが入力されたままであるか否かを確認し( ステップ９）、『あつく運転』のスイッチが入力されたままであれば、ステップ７に戻る一方、ステップ９で『あつく運転』のスイッチが切られている場合には、燃焼制御を停止する（ステップ１０）。
【００３５】
また、ステップ７において、缶体弁５０が中間開度に、バイパス弁４０が全閉状態にそれぞれ位置しているにもかかわらず、水流スイッチ４６がオンしていないときには、フィルタの目詰まり等に起因して熱交換器３６側への入水量が少ないものと判断し、バーナの燃焼制御を一旦停止した後（ステップ１１）、缶体弁５０の開度が徐々に大きくなるように制御する（ステップ１２）。
【００３６】
そして、缶体弁５０に設けられている全開位置検出用のリミットスイッチがオンしているか否かを調べた後（ステップ１３）、リミットスイッチが未だオンしていないならば、続いて、水流スイッチ４６がオンしているか否かを判断する（ステップ１４）。缶体弁５０の開度を中間位置よりも大きくした結果、水流スイッチ４６がオンしたならば、熱交換器３６側への入水量が十分に確保されて沸騰が起こらないものと判断し、ステップ８に移行する。
【００３７】
また、ステップ１４で水流スイッチ４６がオンしないならば、ステップ１２に戻り、さらに缶体弁５０の開度を大きくする。そして、ステップ１３で、缶体弁５０が全開位置に達しても水流スイッチ４６がオンしなければ、熱交換器３６側への入水量を十分に確保する見込みが無いものと判断して、『あつく運転』のための追い焚き制御を全て停止するなどの安全動作に移行する（ステップ１５）。
【００３８】
（２）『あつくジェット運転』時
図２のフローチャートに示すように、浴室リモコン装置２ｃに設けられている『あつくジェット運転』の開始用のスイッチを操作して、このモードを設定すると（ステップ２１）、これに応じて、シーケンス制御部２ａは、エアー電磁弁２４を開くとともに、循環ポンプ４４を起動し（ステップ２２）、さらに、バイパス弁４０が中間開度の位置になるように制御し（ステップ２３）、バイパス弁４０に設けられている中間位置検出用のリミットスイッチがオンしたならば（ステップ２４）、中間開度に達したと判断して制御を停止する。
【００３９】
引き続いて、シーケンス制御部２ａは、缶体弁５０が全開状態の位置になるように制御し（ステップ２５）、缶体弁５０に設けられている全開位置検出用のリミットスイッチがオンしたならば（ステップ２６）、全開状態に達したと判断して制御を停止する。
【００４０】
このように、バイパス弁４０の開度を中間位置にするのは、バイパス路３８に湯水をある程度流す方が、熱交換器３６側にのみ湯水を流す場合よりも水流抵抗が少なく、このため、追い焚き感はある程度犠牲になるものの、ジェットノズル１０ａ，１０ｂから気泡混じりの湯水が十分に噴出される状態を維持できるからである。
【００４１】
続いて、シーケンス制御部２ａは、水流スイッチ４６がオンしているか否かを確認し（ステップ２７）、水流スイッチ４６がオンしているならば、熱交換器３６側への入水量が十分に確保されていて沸騰が起こらないものと判断し、浴槽３内の湯温が所期の温度に達するまで、バーナの燃焼制御により熱交換器３６を加熱して追い焚きを実行する（ステップ２８）。これにより、ジェットノズル１０ａ，１０ｂからは、気泡混じりでかつ追い焚きされた湯が噴出される。
【００４２】
次いで、『あつくジェット運転』のスイッチが入力されたままであるか否かを確認し（ステップ２９）、『あつくジェット運転』のスイッチが入力されたままであれば、ステップ２７に戻る一方、ステップ２９で『あつくジェット運転』のスイッチが切られている場合には、燃焼制御を停止する（ステップ３０）。
【００４３】
また、ステップ２７において、バイパス弁４０が中間開度に、缶体弁５０が全開状態にそれぞれ位置しているにもかかわらず、水流スイッチ４６がオンしていないときには、フィルタの目詰まり等に起因して熱交換器３６側への入水量が少ないものと判断し、バーナの燃焼制御を一旦停止した後（ステップ３１）、バイパス弁４０の開度が徐々に小さくなるように制御する（ステップ３２）。
【００４４】
そして、バイパス弁４０に設けられている全閉位置検出用のリミットスイッチがオンしているか否かを調べた後（ステップ３３）、リミットスイッチが未だオンしていないならば、続いて、水流スイッチ４６がオンしているか否かを判断する（ステップ３４）。バイパス弁４０の開度を中間位置よりも小さくした結果、水流スイッチ４６がオンしたならば、熱交換器３６側への入水量が十分に確保されて沸騰が起こらないものと判断し、ステップ２８に移行する。
【００４５】
また、ステップ３４で水流スイッチ４６がオンしないならば、ステップ３２に戻り、さらにバイパス弁４０の開度を小さくする。そして、ステップ３３で、バイパス弁４０が全閉位置に達しても水流スイッチ４６がオンしなければ、熱交換器３６側への入水量を十分に確保する見込みが無いものと判断して、『あつくジェット運転』のための追い焚き制御を全て停止するなどの安全動作に移行する（ステップ３５）。
【００４６】
なお、この実施形態では、浴槽３に気泡混じりの湯水を噴出するジェットノズル１０ａ，１０ｂが設けられていて、『あつく運転』と『あつくジェット運転』の各モードを選択できるようにしているが、これに限定されるものではなく、ジェットノズル１０ａ，１０ｂを設けずに、単に湯水を吐出するだけの吐出口を浴槽２に設けて、追い焚き時には『あつく運転』のみを行う風呂ユニットについも、本発明を適用することが可能である。
【００４７】
さらに、この実施形態では、缶体弁５０、バイパス弁４０を開度制御する際、弁開度状態を全開、中間、全閉の各リミッタの検知によって判断しているが、例えばステッピングモータで駆動させ、該モータに出力する駆動ステップ数にて弁
開度状態を判断する様にしても良い。
【００４８】
さらに、この実施形態での弁の風呂追焚き用開度は、『あつく運転』では、缶体弁５０の弁開度を中間位置としかつバイパス弁４０の弁開度を全閉位置とし、『あつくジェット運転』では、缶体弁５０の弁開度を全開位置としかつバイパス弁４０の弁開度を中間位置としているが、追焚き装置の構成に応じ予め設定した風呂追焚き用開度は、種々な開度に設定できる。
【００４９】
例えば缶体弁５０の弁開度を中間位置、バイパス弁４０の弁開度を中間位置に設定できるものであり、また水流スイッチ４６がオンしない状態が追焚き燃焼中の場合にはバーナの燃焼を停止させることなく熱交換器側への入水量を増大させる制御を実行させるようにしても良く、更にまた、複数回、例えば２回熱交換器側への入水量を増大させる制御を実行させても水流スイッチ４６がオンしない場合、熱交換器３６側への入水量を十分に確保する見込みが無いものと判断して、追い焚き制御を全て停止するなどの安全動作に移行させるようにしても良く、以下にその一例を図４に示す他の実施態様について説明する。
【００５０】
図４は風呂追焚き用の追焚き回路と給湯回路とを具備した給湯器付き追焚き装置１０１の構成を示す図であり、給湯用の熱交換器１０３と風呂用の熱交換器１０４とは吸熱フィンを共用した所謂一缶二水路式の缶体で構成し、この缶体の下方には石油バーナー１０６及び送風ファン１０７が設けられ、この缶体の上方には排気口１０５が開口されている。１０２はコントローラで、たとえばマイクロコンピュータで構成されるシーケンス制御部１０２ａを備え、台所などに設置される台所リモコン装置１０２ｂ、および浴室内に設置される浴室リモコン装置１０２ｃと接続される。尚、シーケンス制御部１０２ａは、上記の各リモコン装置１０２ｂ，１０２ｃからの入力データ、および給湯器付き追焚き装置１０１に設けられた各種のセンサ等からの検出信号に基づいて、各弁や循環ポンプなどの各可動部の動作を制御し、燃焼制御を行うものである。
【００５１】
また、両リモコン装置１０２ｂ，１０２ｃは、シーケンス制御部１０２ａに対して各種の指令を入力するためのもので、たとえば、浴室リモコン装置１０２ｃについてみると、その操作パネル上には、ジェット運転の開始スイッチ、追焚き用の追焚きスイッチ（いずれも図示省略）等が設けられている。
【００５２】
石油バーナー１０６にあっては、電磁弁１０９を開き、電磁ポンプ１１０を運転すると、オイル（石油）がノズル１１１からミスト状に吐出され、エアと混合され、燃焼する。また、石油バーナー１０６には、着火装置１１２、燃焼を監視するための燃焼検知センサ１１３を有している。
【００５３】
給湯用の熱交換器１０３には給水路１１４及び給湯路１１５が接続されて、給湯回路が構成されている。フィルタ１１７を通して給水路１１４から導入された水（市水）は、石油バーナー１０６の燃焼中給湯用の熱交換器１０３を通過しながら加熱され、給湯路１１５へ送り出される。
【００５４】
風呂用の熱交換器１０４は追焚き回路の一部を構成している。すなわち、追焚き回路は、石油バーナー１０６で加熱される風呂用の熱交換器１０４と、風呂用の熱交換器１０４の入口側に接続された吸込配管１３３及び浴槽１４７の循環金具１４８に接続された吸込配管１３２と、風呂用の熱交換器１０４の出口側に接続された吐出配管１３４及び浴槽１４７の循環金具１４８に接続された吐出配管１３５と、吸込配管１３３と吸込配管１３２との接続点から缶体弁１４２を介して分岐し、風呂用の熱交換器１０４をバイパスして吐出配管１３４と吐出配管１３５との接続点に合流する缶体側バイパス路１３６と、風呂用の熱交換器１０４及び缶体側バイパス路１３６をさらにバイパスし吸込配管１３２と吐出配管１３５とを連通させたバイパス弁１４４を有するバイパス路１３７を備えている。ここで、缶体側バイパス路１３６は、主として循環判定や湯の落とし込み時に用いられるものであり、バイパス路１３７は主としてジェット運転時に用いられるものである。
【００５５】
吸込配管１３２には、水位センサ１３８、循環ポンプ１３９、水流スイッチ１４０及び温度センサ１４１が設けられている。また、浴槽１４７の循環金具１４８にはエア管１４５が接続されており、エア管１４５は吐出配管１３５に連通している。また給湯路１１５から分岐された分岐管１２６は、バキュームブレーカ１２７、落とし込み水電磁弁１２８、水量センサ１２９、逆止弁１３０及び接続管１３１を経て追焚き回路の吐出配管１３５につながっている。
【００５６】
上記缶体弁１４２は、吸込配管１３３側（以下、缶体側という）と風呂側バイパス路１３６側（以下、バイパス側という）との間で択一的に切り替わるようになっており、ステッピングモータ（パルスステップモータ）１４３の回転軸に取付けられており、ステッピングモータ１４３のステップ数を指定することにより回転角を制御され、例えば０度〜３１５度の範囲内の任意の角度で回転可能となっている。よって、缶体側で全開になった状態や風呂側バイパス側で全開になった状態（缶体側には非連通）に限らず、任意の中間開度でも用いることができる。
【００５７】
（追焚き運転時の動作）
次に、給湯器付き追焚き装置１の追焚き運転時の動作を図５のフロー図により説明する。尚、図５に示す内容の制御を行うシーケンス制御部１０２ａが特許請求の範囲における開度制御手段に対応している。
【００５８】
缶体弁１４２は非追焚き運転時には風呂側バイパス路１３６側に切り替わっており、バイパス弁１４４は全閉位置である。そこで、給湯回路動作中に浴室リモコン装置１０２ｃに設けられている追焚き用のスイッチ操作を行うと、シーケンス制御部１０２ａが作動して、循環ポンプ１３９を駆動し（Ｓ１０１）、水流スイッチ１４０がオンすることを確認する（Ｓ１０２）。水流スイッチ１４０がオフであると浴槽１４７に水がないとして追焚き用のスイッチ操作をキャンセルし、水流スイッチ１４０がオンであると缶体弁１４２とバイパス弁１４４とを風呂追焚き用開度に駆動する（Ｓ１０３）。この風呂追焚き用開度は、缶体弁１４２が吸込配管１３３側（缶体側）で中間開度（半開位置）となり、一方のバイパス弁１４４は中間開度（半開位置）となる。この風呂追焚き用開度でバイパス弁１４４を中間開度とするのは、給湯回路との同時運転においては給湯回路の要求負荷に応じた加熱量で缶体が加熱される結果、追焚回路の温度は成り行きとなり、安全性を考慮して吐出配管１３５側の吐出温度を下げるようにするためであり、従って、風呂追焚き単独運転時の風呂追焚き用開度としては、缶体弁１４２を吸込配管１３３側（缶体側）で中間開度（半開位置）としバイパス弁１４４を全閉位置としても良いものである。
【００５９】
シーケンス制御部１０２ａは、前記ステップ（Ｓ１０３）で風呂追焚き用開度に駆動した後水流スイッチ１４０のオンが確認できる（Ｓ１０４）と、風呂追焚き運転を開始し（Ｓ１０５）、スイッチ操作を継続されているのであれば（Ｓ１０６）、再度水流スイッチ１４０のオンを確認するステップ（Ｓ１０４）に戻る。前記ステップ（Ｓ１０４）で水流スイッチ１４０のオンが所定時間（例えば３秒間）確認できない場合には、バイパス弁１４４の開度を一定開度閉じると共に缶体弁１４２の開度を缶体側にさらに一定開度開き、風呂用の熱交換器１０４側に流れる水量を増加させる制御を実行する（Ｓ１０７）。尚、前記ステップ（Ｓ１０４）で水流スイッチ１４０のオンが確認できない場合で既に追焚き運転を開始している場合には、この追焚き運転を中断する事無く前記ステップ（Ｓ１０７）の制御を実行する。そして前記ステップ（Ｓ１０７）の制御の実行後、水流スイッチ１４０のオンが確認できると（Ｓ１０８）、追焚き運転を開始あるいは継続（既に風呂追焚運転を実行している場合）し（Ｓ１０９）、スイッチ操作が継続されているのであれば（Ｓ１１０）、再度水流スイッチ１４０のオンを確認するステップ（Ｓ１０８）に戻る。前記ステップ（Ｓ１０８）で水流スイッチ１４０のオンが所定時間（例えば３秒間）確認できない場合は、バイパス弁１４４の開度をさらに一定開度閉じると共に缶体弁１４２の開度を缶体側に再度一定開度開き、風呂用の熱交換器１０４側に流れる水量を増加させる制御を再び実行する（Ｓ１１１）。尚、この場合でも既に風呂追焚運転を開始している場合には、この風呂追焚運転を中断する事無く前記ステップ（Ｓ１１１）の制御を実行する。そしてこの制御の実行後に水流スイッチ１４０のオンが確認できると（Ｓ１１２）、風呂追焚運転を開始あるいは継続（既に風呂追焚運転を実行している場合）し（Ｓ１１３）、スイッチ操作が継続されているのであれば（Ｓ１１４）、再度水流スイッチ１４０のオンを確認するステップ（Ｓ１１２）に戻る。前記ステップ（Ｓ１１２）で水流スイッチ１４０のオンが確認できない場合は、追焚き運転を中止あるいはキャンセルする。
【００６０】
尚、風呂追焚き単独運転時の風呂追焚き用開度として、缶体弁１４２を吸込配管１３３側（缶体側）で中間開度（半開位置）としバイパス弁１４４を全閉位置とた場合の追焚き運転時の動作は、上述した図５のフロー図の熱交換器１０４側に流れる水量を増加させる制御が、缶体弁１４２の開度のみを缶体側に一定開度開くこと以外に変わる点はない。
【００６１】
【発明の効果】
本発明によれば、フィルタの目詰まり、弁のバラツキにより風呂用の熱交換器側への入水量が少なくなって水流スイッチがオンしない場合でも、従来のように直ちに追焚き運転を放棄するのではなく、風呂用の熱交換器側への入水量を増加させるように試みられるため、安全性を確保しつつ、装置が保有する風呂追焚き機能を最大限発揮でき、使用者の利便性を向上させることができる。
【図面の簡単な説明】
【図１】本発明の実施形態に係る追焚き装置のあつく運転時の動作説明に供するフローチャートである。
【図２】本発明の実施形態に係る追焚き装置のあつくジェット運転時の動作説明に供するフローチャートである。
【図３】追焚き装置の全体構成図である。
【図４】本発明の他の実施形態に係る追焚き装置の全体構成図である。
【図５】本発明の他の実施形態に係る追焚き装置の追焚き運転時の動作説明に供するフローチャートである。
【符号の説明】
１        追焚き装置
１０１    追焚き装置
３        浴槽
１４７    浴槽
３２      追焚き回路
３８      バイパス路
１３７    バイパス路
４０      バイパス弁
１４４    バイパス弁
４４      循環ポンプ
１３９    循環ポンプ
４６      水流スイッチ
１４０    水流スイッチ
４８      缶体弁
１４２    缶体弁
２ａ      シーケンス制御部
１０２ａ  シーケンス制御部
２ｂ      リモコン装置
２ｃ      リモコン装置
１０２ｂ  リモコン装置
１０２ｃ  リモコン装置
【図１】
0003713698.tif 000002
【図２】
0003713698.tif 000003
【図３】
0003713698.tif 000004
【図４】
0003713698.tif 000005
【図５】
0003713698.tif 000006